(57)【要約】【課題】複数の導波管を切り替えるための構造を単純にできない。【解決手段】金属性のケース１およびカバー２は、入口側で分岐し出口側で合流して複数の導波管路を内側に形成するように向かい合わせて合体される。導波管路と１対１対応の雌ネジ７〜10はカバーの入口側と出口側それぞれにカバーの管厚を貫通して切られている。導波管路切替用ネジ３は、電波を通過させない導波管路の入口側と出口側で当該導波管路を塞ぐように雌ネジにねじ込まれる。穴塞ぎ用ネジ６は、電波を通過させる導波管路の入口側と出口側の雌ネジを塞ぐように当該雌ネジにねじ込まれる。導波管路切替用ネジ３および穴塞ぎ用ネジ６の挿入位置を変えることで電波を通過させる導波管路を切り替える。【選択図】図２
2011259113.tif 000002
【特許請求の範囲】
【請求項１】
入口側で分岐し出口側で合流して複数の導波管路が内部に形成されたハウジングと、
前記入口側と前記出口側それぞれに前記ハウジングの管厚を貫通して切られた前記導波管路と１対１対応の穴と、
電波を通過させない導波管路の前記入口側および前記出口側それぞれで当該導波管路を塞ぐように前記穴に挿入される第１の挿入物と、
電波を通過させる導波管路の前記入口側と前記出口側それぞれで前記穴を塞ぐように当該穴に挿入される第２の挿入物を有し、
前記第１の挿入物および前記第２の挿入物の挿入位置を変えることにより電波を通過させる導波管路を切り替えることができることを特徴とする導波管。
【請求項２】
入口側で分岐し出口側で合流して複数の導波管路を内側に形成するように向かい合わせて合体される略同一形状の金属性のケースおよびカバーと、
前記カバーの前記入口側と前記出口側それぞれに前記カバーの管厚を貫通して切られた前記導波管路と１対１対応の雌ネジと、
電波を通過させない導波管路の入口側と出口側それぞれで当該導波管路を塞ぐように前記雌ネジにねじ込まれる導波管路切替用ネジと、
電波を通過させる導波管路の入口側と出口側それぞれの前記雌ネジを塞ぐように当該雌ネジにねじ込まれる穴塞ぎ用ネジを有し、
前記導波管路切替用ネジおよび前記穴塞ぎ用ネジの挿入位置を変えることにより電波を通過させる導波管路を切り替えることができることを特徴とする導波管。
【請求項３】
前記導波管路切替用ネジに代わって長いピン、前記穴塞ぎ用ネジに代わって短いピンを用いることを特徴とする請求項２に記載の導波管。
【請求項４】
前記第１の挿入物または前記導波管路切替用ネジまたは長いピンは、導波管路の幅よりも若干太くなっていて先端が平面状に加工されており、また、前記第２の挿入物または前記穴塞ぎ用ネジまたは短いピンは、前記導波管の管厚または前記カバーの管厚と同じ長さであることを特徴とする請求項１〜３に記載の導波管。
【発明の詳細な説明】
【技術分野】
【０００１】
本発明は、導波管に関し、特に、同一ハウジング内に形成されている複数の導波管路を切り替えることができる導波管に関する。
【背景技術】
【０００２】
同一ハウジング内に複数の導波管を冗長形成し、現用側の導波管に故障が発生した場合には、ステッピングモータ等の機械的手段によりローターを駆動して、予備側の導波管に切り替える導波管切替器が知られている。しかし、この導波管切替器では、ローターを回すための駆動部が必要となり、その制御を行うための構造や電気回路などを必要とするので、切替え構造が複雑になり、従って、部品点数が多く、大型、高重量、高消費電力、高価となる。
【先行技術文献】
【特許文献】
【０００３】
【特許文献１】特開平１−２２５２０１号公報
【発明の概要】
【発明が解決しようとする課題】
【０００４】
解決しようとする問題点は、複数の導波管を切り替えるための構造を単純にできないということである。
【課題を解決するための手段】
【０００５】
本発明は、電波を通過させない導波管路の切替えを導波管路の分岐部を塞ぐ／塞がないにより行なうことを最も主要な特徴とする。
【発明の効果】
【０００６】
本発明の導波管は、電波を通過させない導波管路をネジ等によって塞ぐこととしたため、導波管路の切替えに駆動回路を必要としないので、構造が簡易で小型化、軽量化が容易、ひいては安価な導波管路の切換え手段を提供できるという利点がある。
【図面の簡単な説明】
【０００７】
【図１】本発明の導波管の実施例１の外観を示す斜視図である。
【図２】実施例１の組立て前の分解斜視図である。
【図３】実施例１において導波管路切替用ネジを取り付けた状態を示す斜視図である。
【図４】図１のＹ−Ｙ方向から見たときの実施例１の断面図である
【図５】本発明の導波管の実施例２の外観を示す斜視図である。
【図６】実施例２の組立て前の分解斜視図である。
【発明を実施するための形態】
【実施例１】
【０００８】
図１は本発明の導波管の実施例１の外観を示す斜視図、図２はこの導波管の組立て前の分解斜視図、図３はカバーに導波管路切替用ネジを取り付けた状態をひっくり返して示す斜視図、図４は図１のＹ−Ｙ方向から見たときの導波管の断面図である。この導波管は、図１に示すように、略同様な形状の金属製のケース１とカバー２から成り、内部に２つの導波管路が形成されている。なお、導波管路の数は３つ以上であってもよい。
【０００９】
ケース１は、図２に示すように、第１導波管路 11 および第２導波管路 12 の下半分を形成するための溝を有しており、多数の固定用ネジ５によって装置に水平に取り付けられる。固定用ネジ５は、また、ケース１とカバー２に明けられた雌ネジを貫通して互いに溝のある面を合わせるように合体させる。カバー２は、図２の状態から裏返した状態で図３に示すように、第１導波管路 11 および第２導波管路 12 の上半分を形成するための溝を有している。
【００１０】
導波管路切替用ネジ３は、導波管路の幅よりも若干太くなっていて、さらに先端が平面状に加工されている。導波管路の入り口部と出口部における第１導波管路 11 と第２導波管路12への分岐前の溝幅は、導波管路切替用ネジ３よりやや太く形成されている。このため、図３に示すように、導波管路切替用ネジ３を第２導波管路 12 寄りに取り付けると第２導波管路 12 を塞いで電波の通過を妨げ、第１導波管路 11 に電波を通過させることができる。一方、導波管路切替用ネジ３を第１導波管路 11 寄りに取り付けると第１導波管路11 を塞いで、第２導波管路 12 に電波を通過させることができる。このようにして、導波管路を切り替えるのである。
【００１１】
この導波管路切替えを実現するために、図２に示すように、カバー２には導波管路切替用ネジ３および穴塞ぎ用ネジ６を取り付けるための４つの雌ネジ７〜10 が切られている。雌ネジ７〜10 は、上述のように、第１導波管路 11 と第２導波管路 12 の一方を塞ぐのに適した位置に切られる。雌ネジ７，９を導波管の入口側に使用するとすれば、雌ネジ８，10 は導波管の出口側に使用する。
【００１２】
穴塞ぎ用ネジ６の長さは、図４に示すように、カバー２の管厚と同じであって、導波管路にまで侵入しないように配慮されている。導波管路切替用ネジ３を雌ネジ７に挿入するときは、穴塞ぎ用ネジ６が雌ネジ９を塞ぎ、導波管路切替え用ネジ３を雌ネジ９に挿入するときは、穴塞ぎ用ネジ６が雌ネジ７を塞いで、電波が導波管路から雌ネジ９，７を通って漏洩するのを防止する。
【００１３】
２の導波管路 11,12 の内の１つの導波管路を塞ぐ場合、先ず導波管路切替用ネジ３にナット４を取り付ける。その後、例えば雌ネジ７に導波管路切替用ネジ３を挿入し、そのまま導波管路切替用ネジ３の先端が導波管溝の底部に突き当たるまで締め込む。その後、ナット４をカバー１と当たるまで回転させ、更に、そこから導波管路切替用ネジ３を締め付けることにより、導波管路切替用ネジ３をケース１に固定する。導波管路切替用ネジ３の太さは導波管路の幅よりも若干太くなっていること、さらに先端が平面状に加工されていることから、導波管路の内壁を完全に塞ぐことになる。
【００１４】
一方、導波管路切替用ネジ３を差し込まない雌ネジ９には、導波管の管厚さと同じ長さの穴塞ぎ用ネジ６をねじ込むことにより、導波管に空いた穴を塞いで電波の漏れを防ぐ。これを導波管の入口側と出口側で行うことにより、２つある導波管路の内の一方の導波管路にのみ電波が通る導波管を形成することになる。
【００１５】
次に、電波を通す導波管路の切替えを行う場合、ナット４を緩め、導波管路を塞いでいる導波管路切替え用ネジ３を例えば雌ネジ７から抜き、他方の導波管路上に設けられた、雌ネジ９に取り付けてある穴塞ぎ用ネジ６を抜く。そして、取り外した導波管路切替用ネジ３を雌ネジ９に挿入する。つまり、導波管路切替用ネジ３を取り付ける穴を切り替えることによって、導波管路を塞ぐ導波管路を切り替え、電波を通す導波管路の切替えを行う。
【実施例２】
【００１６】
図５は本発明の導波管の実施例２の外観を示す斜視図、図６はこの導波管の組立て前の分解斜視図である。実施例１における導波管路を塞ぐ役目をネジで担っていたが、実施例２では、図５に示すように、ネジに代わって導波管路を塞ぐためのピンと導波管の管厚を塞ぐためのピンを一体化した切替用ピン 21 を用いる。切替用ピン 21 は、略凸状の金属製平板の下面の幅広部に長いピンと短いピンが設けられ、切替ピン固定用 ネジ 22 によってカバー 23 に取り付けられる。
【００１７】
長いピンは、導波管路切替用ネジ３に代わるものであり、その太さは導波管幅より若干広く、また先端が平面状になっている。短いピンは穴塞ぎ用ネジ６に代わるものであり、その長さは導波管の管厚と同じ長さとする。これらのピンは、カバー 23 の上面に施されている切替ピン用穴 24,26 または 25,27 に挿入される。カバー 23 の上面には、切替ピン固定用ネジ 22 のための雌ネジ 28,29 が設けられている。
【００１８】
導波管路を切り替える場合、電波を通したくない導波管路には切替ピン用穴 24,25 に長いピンを挿入することにより導波管路を塞ぎ、電波を通したい導波管路には切替ピン用穴 26,27 に短いピンを挿入することにより穴 26,27 を塞ぐことができる。なお、長いピンと短いピンの相対的な位置関係は、切替ピン用穴 24,26 および切替ピン用穴 25,27 相対的な位置関係と一致するようにされている。
【００１９】
この例では、導波管路を塞ぐ操作と導波管壁の穴を塞ぐ操作を一つの部品（切替用ピン 21 ）で同時に行うことができるので、実施例１の場合に比べ、導波管路の切替え作業の効率化を図ることができる。
【００２０】
上記の実施形態の一部又は全部は、以下の付記のようにも記載されうるが、以下には限られない。
【００２１】
（付記１）入口側で分岐し出口側で合流して複数の導波管路が内部に形成されたハウジングと、前記入口側と前記出口側それぞれに前記ハウジングの管厚を貫通して切られた前記導波管路と１対１対応の穴と、電波を通過させない導波管路の前記入口側および前記出口側それぞれで当該導波管路を塞ぐように前記穴に挿入される第１の挿入物と、電波を通過させる導波管路の前記入口側と前記出口側それぞれで前記穴を塞ぐように当該穴に挿入される第２の挿入物を有し、前記第１の挿入物および前記第２の挿入物の挿入位置を変えることにより電波を通過させる導波管路を切り替えることができることを特徴とする導波管。
【００２２】
（付記２）入口側で分岐し出口側で合流して複数の導波管路を内側に形成するように向かい合わせて合体される略同一形状の金属性のケースおよびカバーと、前記カバーの前記入口側と前記出口側それぞれに前記カバーの管厚を貫通して切られた前記導波管路と１対１対応の雌ネジと、電波を通過させない導波管路の入口側と出口側それぞれで当該導波管路を塞ぐように前記雌ネジにねじ込まれる導波管路切替用ネジと、電波を通過させる導波管路の入口側と出口側それぞれの前記雌ネジを塞ぐように当該雌ネジにねじ込まれる穴塞ぎ用ネジを有し、前記導波管路切替用ネジおよび前記穴塞ぎ用ネジの挿入位置を変えることにより電波を通過させる導波管路を切り替えることができることを特徴とする導波管。
【００２３】
（付記３）前記導波管路切替用ネジに代わって長いピン、前記穴塞ぎ用ネジに代わって短いピンを用いることを特徴とする付記２に記載の導波管。
【００２４】
（付記４）前記第１の挿入物または前記導波管路切替用ネジまたは長いピンは、導波管路の幅よりも若干太くなっていて先端が平面状に加工されており、また、前記第２の挿入物または前記穴塞ぎ用ネジまたは短いピンは、前記導波管の管厚または前記カバーの管厚と同じ長さであることを特徴とする付記１〜３に記載の導波管。
【産業上の利用可能性】
【００２５】
本発明は、導波管による無線回路におけるインターフェイス切替え部、特に装置設置時に切替えを実施し、その後はほとんど切り替える予定がないような無線装置など、切替え後の導波管路が半固定的となるような場合に対して特に有効である。
【符号の説明】
【００２６】
１      ケース
２，23  カバー
３      導波管路切替用ネジ
４      ナット
５      固定用ネジ
６      穴塞ぎ用ネジ
７〜10  雌ネジ
11      第１導波管路
12      第２導波管路
21      切替用ピン
22      ピン固定用ネジ
24〜27  切替ピン用穴
28，29  雌ネジ
【図１】
2011259113.tif 000003
【図２】
2011259113.tif 000004
【図３】
2011259113.tif 000005
【図４】
2011259113.tif 000006
【図５】
2011259113.tif 000007
【図６】
2011259113.tif 000008